(57)【要約】      （修正有）【課題】昇降床の各層への停止を可能とするとともに奈落層で人の乗り降りや道具の積み下ろしの邪魔になることのないガイド装置を提供する。【解決手段】奈落層Ｎと低層Ｔと舞台層Ｂとの間を、ピット層Ｐに設けた昇降装置３によって上下移動する昇降床２の上下移動を案内するガイド装置１であって、ピット層Ｐから奈落層までの範囲内で上下方向に沿って設けたガイドレール４と、ガイドレール４を摺動可能に把持するガイドシュー５と、ガイドシュー５を昇降床２に対して上下方向移動自在に保持する伸縮部材６とを備え、伸縮部材６は、少なくとも、収縮時に昇降床２が低層に位置することを許容するとともに、伸長時に昇降床２が舞台層Ｂと同レベルに位置する際にガイドシュー５がガイドレール４を把持することを可能する長さに設定される。【選択図】図１
2015124031.tif 000002
【特許請求の範囲】
【請求項１】
奈落層と上記奈落層よりも下方に設けた低層と、上記奈落層の床面に立てた束上に設置される束立床で形成される舞台層との間を、上記低層よりも下方に設けたピット層に設けた昇降装置によって上下移動する昇降床の当該上下移動を案内するガイド装置であって、
上記ピット層から上記奈落層までの範囲内で上下方向に沿って設けたガイドレールと、
上記ガイドレールを摺動可能に把持するガイドシューと、
上記ガイドシューを上記昇降床に対して上下方向移動自在に保持する伸縮部材とを備え、
上記伸縮部材は、少なくとも、収縮時に上記昇降床が上記低層と同レベルに位置することを許容するとともに、伸長時に上記昇降床が上記舞台層と同レベルに位置する際に上記ガイドシューが上記ガイドレールを把持することを可能する長さに設定されることを特徴とするガイド装置。
【請求項２】
上記伸縮部材は、
上記昇降床の下方に垂下される床側レールと、
上記床側レール上を走行するスライダと、
上記スライダに取り付けられるとともに上記ガイドシューを保持するアームと
を備えたことを特徴とする請求項１に記載のガイド装置。
【請求項３】
上記伸縮部材は、
上記昇降床の下方に垂下されるテレスコピック型の伸縮部材であって、
上記伸縮部材の下端に上記ガイドシューを取り付けた
ことを特徴とする請求項１に記載のガイド装置。
【発明の詳細な説明】
【技術分野】
【０００１】
本発明は、舞台迫のガイド装置に関する。
【背景技術】
【０００２】
演劇やコンサート等を行う劇場には、演者が作品を演じるための舞台があるが、この舞台層と舞台よりも下方にある奈落層とで人や舞台に必要な道具などを昇降させるための舞台迫と称される舞台装置が設けられる。
【０００３】
この舞台装置は、たとえば、特許文献１に見られるように、舞台床に設けた開口にはめ込み可能な昇降床と、この昇降床を上下方向へ移動させる昇降装置とで構成されており、昇降床を上下移動させることで、舞台層と奈落層とを行き来することができるようになっている。
【０００４】
また、一般的に、奈落層は、構造物で形成されることが多く、舞台床は、この奈落層の床上に立てられた束と称される複数の伸縮可能な柱の上に床を形成する板を貼ることで形成され、さらに、構造物内の奈落層よりも下方には、低層が設けられ、この低層よりも下方には昇降装置が収容されるピットと称される凹部が設けられる。
【０００５】
したがって、昇降床は、舞台層、奈落層および低層を行き来できるようになっており、各層において、昇降床とほぼ同じ大きさの開口が設けられていて、たとえば、奈落層にある道具を舞台へ上げたい場合には、奈落層の開口を閉塞する位置で昇降床を停止させることで、奈落層の道具を昇降床へ乗せ、昇降床を上昇させて舞台層の開口を閉塞する位置で停止させることで、道具を舞台へ運搬することが可能となる。
【０００６】
このように昇降床は、各層にて、開口を閉塞する位置へ停止させなければならず、昇降床と各層との間に大きな隙間が生じると人や道具などが下層へ落下する恐れがあるために、昇降床の大きさはぴったり開口に嵌り込む程度の大きさに設定されている。しかしながら、従来の舞台装置では、昇降装置自体が昇降床を開口へ案内するガイドとして機能する装置を保有していないので、各層にて昇降床が開口内にぴったり収まるように当該昇降床の横方向の移動を規制するガイド装置が設けられている。このガイド装置は、昇降床の四隅に設けた案内レールを昇降床側に設けた案内レールを走行するスライダによって構成されており、昇降床を決まった位置に案内しつつ上下動させることができるようになっている。
【先行技術文献】
【特許文献】
【０００７】
【特許文献１】特開平２００４−１８１６３号公報
【発明の概要】
【発明が解決しようとする課題】
【０００８】
ところで、舞台床は、上述したように奈落層に立てた束の上に形成されるが、演目によっては、演出上、束の長さを変更して奈落層から舞台床の高さを変えたい場合があり、また、ピット深さを十分に確保することが難しい場合がある。
【０００９】
従来のガイド装置では、図５に示すように、ピット層から奈落層まで上下方向に沿って設けた案内レールＲと、昇降床側に設けられて案内レールＲを走行するスライダＳとで構成されているため、舞台床の高さを高くする場合、案内レールＲが足りなくなってスライダＳが案内レールＲに対して上方に抜けてしまい昇降床を案内できなくなってしまう恐れがあり、この問題を解消するには、案内レールを奈落層の床面から上方へ突き出すようにして設置しなくてはならず、そうすると、案内レールが奈落層での昇降床への人の乗り降りや道具の積み下ろしの邪魔となってしまう。
【００１０】
さらに、少なくとも、昇降床を舞台層へ位置させる際に、スライダＳが案内レールＲを把持している必要があるが、舞台層と奈落層との間に距離がピット深さよりも長くなるように舞台床の高さを高くする場合、図６に示すように、昇降床を低層に位置させようとしてもピット床にスライダＳが干渉して昇降床を低層へ停止させることができなくなってしまう可能性がある。
【００１１】
そこで、本発明は、上記不具合を解決するためになされたものであり、その目的とするところは、昇降床の各層への停止を可能とするとともに奈落層で人の乗り降りや道具の積み下ろしの邪魔になることのないガイド装置を提供することである。
【課題を解決するための手段】
【００１２】
上記した目的を達成するため、本発明の課題解決手段は、奈落層と上記奈落層よりも下方に設けた低層と、上記奈落層の床面に立てた束上に設置される束立床で形成される舞台層との間を、上記低層よりも下方に設けたピット層に設けた昇降装置によって上下移動する昇降床の当該上下移動を案内するガイド装置であって、上記ピット層から上記奈落層までの範囲内で上下方向に沿って設けたガイドレールと、上記ガイドレールを摺動可能に把持するガイドシューと、上記ガイドシューを上記昇降床に対して上下方向移動自在に保持する伸縮部材とを備え、上記伸縮部材は、少なくとも、収縮時に上記昇降床が上記低層と同レベルに位置することを許容するとともに、伸長時に上記昇降床が上記舞台層と同レベルに位置する際に上記ガイドシューが上記ガイドレールを把持することを可能する長さに設定されることを特徴とする。
【００１３】
本発明のガイド装置では、昇降床が稼働範囲内のどの位置にいても、ガイドシューがガイドレールから抜けてしまうことがないので、確実に昇降床を案内することができる。
【００１４】
そして、束の長さを変更するなどして舞台層の高さを変える場合にあっても、ガイド装置が伸縮部材を備えているからガイドレールの上端を奈落層の床面以下に配置すれば足りる。
【００１５】
また、ピットを深くすることができない場合、つまり、ピット層と低層との間の距離を長くとることができない場合であっても、ガイド装置が伸縮部材を備えることで、昇降床を低層と同レベルに停止させることができるとともに舞台層Ｂと同レベルに停止させることができるようになる。
【発明の効果】
【００１６】
よって、本発明のガイド装置によれば、昇降床の各層への停止を可能とするとともに奈落層で人の乗り降りや道具の積み下ろしの邪魔になることがなくなるのである。
【図面の簡単な説明】
【００１７】
【図１】一実施の形態におけるガイド装置を搭載した昇降床を舞台層で停止させた状態の側面図である。
【図２】一実施の形態におけるガイド装置を搭載した昇降床を低層で停止させた状態の側面図である。
【図３】一実施の形態におけるガイド装置を搭載した昇降床の平面図である。
【図４】一実施の形態の一変形例におけるガイド装置を搭載した昇降床を舞台層で停止させた状態の側面図である。
【図５】従来のガイド装置の側面図である。
【図６】従来のガイド装置の側面図である。
【発明を実施するための形態】
【００１８】
図に示した実施の形態に基づき、本発明を説明する。一実施の形態におけるガイド装置１は、図１から図３に示すように、奈落層Ｎと低層Ｔと舞台層Ｂとの間をピット層Ｐに設けた昇降装置３によって上下移動する昇降床２の当該上下移動を案内するようになっており、ピット層Ｐから奈落層Ｎまでの範囲内で上下方向に沿って設けたガイドレール４と、ガイドレール４を摺動可能に把持するガイドシュー５と、ガイドシュー５を昇降床２に対して上下方向移動自在に保持する伸縮部材６とを備えて構成されている。
【００１９】
以下、各部について詳細に説明する。舞台は、構造物Ｋ内に設置されており、構造物Ｋの舞台を設置する上面を奈落層Ｎとしてあり、この奈落層Ｎの床面に長さの変更が可能な多数の束１０を立て、束１０の上に板１１を貼って形成される束立床で舞台床を構成し、奈落層Ｎの上方に舞台床でなる舞台層Ｂを形成してある。そして、舞台層Ｂの一部に開口Ｂ１が設けてあり、昇降床２が舞台層Ｂで停止すると、この開口Ｂ１を昇降床２で閉塞することができるようになっている。
【００２０】
束１０は、伸縮可能とされていて、束１０の長さを変更することで、舞台層Ｂの床面の高さを変更することができるようになっている。奈落層Ｎは、構造物Ｋの上面をそのまま床面としており、舞台層Ｂは、上記のように構造物Ｋとは別体で束１０を介して構造物Ｋに載置されている。
【００２１】
また、構造物Ｋ内には、奈落層Ｎよりも下方に低層Ｔが設けられ、さらに低層Ｔの下方にピット層Ｐが設けられている。奈落層Ｎおよび低層Ｔは、舞台で使用する道具を昇降床２へ積み下ろしするスペースとしても利用されており、舞台層Ｂと同様に昇降床２が各層での停止が可能なように昇降床２の挿通を許容する開口Ｎ１，Ｔ１が設けられている。
【００２２】
ピット層Ｐは、昇降装置３を設置するスペースとされており、昇降装置３で昇降床２を上下方向へ移動させることで、昇降床２を舞台層Ｂ、奈落層Ｎおよび低層Ｔと同レベルの位置へ停止させることができるようになっている。
【００２３】
昇降装置３は、昇降床２を上下方向へ移動させることができるものであればよいが、ピット層Ｐから低層Ｔまでの深さを深くできない場合には、たとえば、スパイラルリフト型の昇降装置を利用するとよい。ラック・ギヤ自走型の昇降装置を利用する場合、ピット層Ｐから低層Ｔまでの深さを浅くしたい場合、ピット深さが奈落層Ｎと舞台層Ｂとの間の距離よりも短くなると、低層Ｔで昇降床２を停止させるには、ラックの上端が奈落層Ｎよりも上方へ突き出る格好になり、ラック・ギヤ押上型の場合、ピット層Ｐよりも可能にラックの下端を下方に突きだす必要があるので、構造物Ｋが大掛かりになってしまうことがあるが、スパイラルリフト型の昇降装置ではこのような問題が生じない。
【００２４】
ガイド部材１は、上記したように、ピット層Ｐから奈落層Ｎまでの範囲内で上下方向に沿って設けたガイドレール４と、ガイドレール４を摺動可能に把持するガイドシュー５と、ガイドシュー５を昇降床２に対して上下方向移動自在に保持する伸縮部材６とを備えて構成されている。
【００２５】
ガイドレール４は、構造物Ｋに固定されて開口Ｎ１，Ｔ１の四隅に配置されており、下端がピット層Ｐの床面に対して若干の隙間を開けて上端が奈落層Ｎの床面の少し下になるようにして上下方向に沿って設けられている。ガイドレール４は、ピット層Ｐの床面から奈落層Ｎの床面までの範囲内で設けられていればよいが、下端はピット層Ｐと低層Ｔとの間に配置される。
【００２６】
伸縮部材６は、この例では、昇降床２の下面に垂下される床側レール７と、床側レール７を走行する一対のスライダ８とで構成されるリニアガイドＬと、スライダ８，８に取り付けられるアーム９とで構成されている。スライダ８は、詳しくは図示しないが、床側レール７を走行するボールを保持しており床側レール７を上下方向に滑らかに移動することができるようになっている。また、床側レール７からスライダ８が抜けることがないように図示しないストッパが設けられている。なお、スライダ８を二つ設けているのは、床側レール７に対するアーム９のがたつきを抑制するためであるが、一つで足りる場合にはスライダ８を一つのみ設けることができ、逆に三つ以上のスライダ８を設けるようにして剛性を高めてもよい。
【００２７】
したがって、アーム９は、昇降床２に対して上下方向へ移動可能とされており、このアーム９の下端でガイドレール４を摺動自在に把持する断面コ字状のガイドシュー５を保持している。
【００２８】
伸縮部材６は、昇降床２の四隅にそれぞれ設けられていて、各伸縮部材６の下端に保持されたガイドシュー５がガイドレール４を把持している。具体的には、図３に示すように、ガイドシュー５は、昇降床２の左右で互いに背を向けるようにして伸縮部材６に取り付けられていて、ガイドシュー５がガイドレール４を挟み込むように把持するので、昇降床２は、図３中上下方向、つまり、舞台層Ｂでなる舞台の奥行き方向に対する移動が規制され、また、昇降床２が図３中左右方向、つまり、舞台層Ｂでなる舞台の左右方向へ移動しようとしてもガイドシュー５がガイドレール４に当接してこれを阻止する。よって、昇降床２は、ガイドレール４を保持する構造物Ｋに対して横方向の移動、図１中では紙面を貫く方向および左右方向への移動が規制される。
【００２９】
そのため、昇降床２を昇降装置３で上下方向へ移動させても、ガイド部材１に案内されて昇降床２の横方向の移動が規制されるので、舞台層Ｂに設けた開口Ｂ１、奈落層Ｎに設けた開口Ｎ１、低層Ｔに設けた開口Ｔ１に収まるように移動することが可能となって、各層の開口Ｂ１，Ｎ１，Ｔ１を閉塞する停止位置に舞台床や構造物Ｋと干渉することなく昇降床２を停止させることができる。
【００３０】
そして、伸縮部材６は、図２に示すように、昇降床２が低層Ｔと同レベルに停止している際には、ピット層Ｐの床面に設けたストッパ１２にアーム９が当接して、床側レール７とアーム９とが重なる収縮状態にあってガイドシュー５はガイドレール４の下端近傍を把持する状態とされる。この状態、つまり、収縮状態では伸縮部材６は、少なくとも、ピット層Ｐの床面と低層Ｔの床面との間の距離間隔よりも短くなって、昇降床２の低層Ｔと同レベルでの停止を許容するようになっている。
【００３１】
これに対して、昇降装置３で昇降床２を上昇させて、図１に示すように、昇降床２が舞台層Ｂと同レベルに停止している際には、伸縮部材６は、床側レール７に対してアーム９が自重で下方にスライドして伸長状態にあって、この状態でも、ガイドシュー５はガイドレール４を把持可能な位置に維持される。
【００３２】
このように伸縮部材６は、少なくとも、収縮時に昇降床２が低層Ｔと同レベルに位置することを許容するとともに、伸長時に昇降床２が舞台層Ｂと同レベルに位置する際にガイドシュー５がガイドレール４を把持することを可能する長さに設定されており、昇降床２が稼働範囲内のどの位置にいても、ガイドシュー５がガイドレール４から抜けてしまうことがないので、ガイド装置１は、確実に昇降床２を案内することができる。
【００３３】
そして、束１０の長さを変更するなどして舞台層Ｂのレベル（高さ）を変える場合にあっても、ガイド装置１が伸縮部材６を備えているからガイドレール４の上端を奈落層Ｎの床面以下に配置すればたり、奈落層Ｎの床面より上方へガイドレール４が突き出して、昇降床２への人の乗り降りや道具の積み下ろしの邪魔になることがない。
【００３４】
また、ピットを深くすることができない場合、つまり、ピット層Ｐと低層Ｔとの間の距離を長くとることができない場合であっても、ガイド装置１が伸縮部材６を備えることで、昇降床２を低層Ｔと同レベルに停止させることができるとともに舞台層Ｂと同レベルに停止させることができるようになる。
【００３５】
よって、本発明のガイド装置１によれば、昇降床２の各層への停止を可能とするとともに奈落層Ｎで人の乗り降りや道具の積み下ろしの邪魔になることがなくなるのである。
【００３６】
なお、ガイド装置１における伸縮部材６は、床側レール７とスライダ８，８とアーム９とで構成されているが、ピットの深さを浅くしつつ、舞台層Ｂと奈落層Ｎとの距離を長くするようにしたい場合、床側レール７とスライダ８，８でなるリニアガイドＬのスライダ８，８にリニアガイドＬを一つないし複数追加して設けてアーム９を最後に取り付けるようにすれば、伸縮部材６の収縮時の最小長さの短縮と伸長時の最大長さの長大化を図ることができる。
【００３７】
さらに、伸縮部材６は、図４に示すように、筒２０と、筒２０内に出入り可能なロッド２１とで構成されるテレスコピック型の伸縮部材とされてもよい。この場合、筒２０にガイドシュー５を設けるようにすれば、収縮時にロッド２１を筒２０内にすっぽり収容することができるので、伸縮部材６の全長に対するストローク長を大きく確保することができる。なお、径の異なる複数の筒を用いれば、テレスコピック型の伸縮部材６にあっても、伸縮部材６の収縮時の最小長さの短縮と伸長時の最大長さの長大化を図ることができる。
【００３８】
以上で、本発明の実施の形態についての説明を終えるが、本発明の範囲は図示されまたは説明された詳細そのものには限定されないことは勿論である。
【符号の説明】
【００３９】
１  ガイド装置
３  昇降装置
２  昇降床
４  ガイドレール
５  ガイドシュー
６  伸縮部材
７  床側レール
８  スライダ
９  アーム
１０  束
２０  筒
２１  ロッド
Ｂ  舞台層
Ｂ１，Ｎ１，Ｔ１  開口
Ｋ  構造物
Ｎ  奈落層
Ｐ  ピット層
Ｔ  低層
【図１】
2015124031.tif 000003
【図２】
2015124031.tif 000004
【図３】
2015124031.tif 000005
【図４】
2015124031.tif 000006
【図５】
2015124031.tif 000007
【図６】
2015124031.tif 000008